(57)【要約】  【課題】設置場所に障害物がある場合でも、障害物を適宜避けて設置することの可能な朝顔ユニットを提供する。  【解決手段】朝顔ユニット５は、落下物を受け止めるためのシート８と、シート８の外縁を支持するフレーム１０であって、その下枠１２が足場１に対して回動可能に連結されるフレーム１０と、フレーム１０を支持する伸縮可能な棒状の斜材３０であって、一端が足場１に対して回動可能に連結されると共に、他端がフレーム１０の竪枠に回動可能に連結される斜材３０と、を備え、斜材３０が伸縮しながらフレーム１０が足場１に対して回動することで、フレーム１０の水平面に対する傾斜角度である設置角度が可変であり、斜材３０は、フレーム１０が足場１の側面に平行に収納された設置角度が90°の収納角度となるまで伸長可能に構成されている。【選択図】図１
2018071298.tif 000002
【特許請求の範囲】
【請求項１】
建設現場の足場に対して斜め上方に突出するように設置されて落下物を受け止めるための朝顔ユニットにおいて、
落下物を受け止めるためのシートと、
前記シートの外縁を支持するフレームであって、その下枠が前記足場に対して前記足場の側面に平行な水平軸回りに回動可能に連結されるフレームと、
前記フレームを支持する伸縮可能な棒状の斜材であって、一端が前記フレームと前記足場との連結場所の下方において前記足場に対して回動可能に連結されると共に、他端が前記フレームの竪枠に回動可能に連結される斜材と、を備え、
前記斜材が伸縮しながら前記フレームが前記足場に対して回動することで、前記フレームの水平面に対する傾斜角度である設置角度が可変であり、前記斜材は、前記フレームが前記足場の側面に平行に収納された前記設置角度が90°の収納角度となるまで伸長可能に構成されていることを特徴とする朝顔ユニット。
【請求項２】
前記斜材は、その伸縮を固定するための伸縮固定部材を備えており、前記伸縮固定部材は、標準設置角度、現場の障害物を避けるための前記標準設置角度よりも大きな退避角度及び前記収納角度の少なくとも3つの設置角度に対応する長さに前記斜材を固定できることを特徴とする請求項１記載の朝顔ユニット。
【請求項３】
前記伸縮固定部材は、複数の退避角度に対応する長さに前記斜材を固定できることを特徴とする請求項２記載の朝顔ユニット。
【請求項４】
前記足場の支柱に固定されて、前記フレームを前記足場に対して回動可能に連結するフレーム受け金具と、
前記足場の支柱に固定されて、前記斜材を前記足場に対して回動可能に連結する斜材受け金具と、をさらに備え、
前記フレーム受け金具は、前記支柱に固定される上部クランプ部と、前記フレームを支持するフレーム受け部と、前記フレーム受け部を前記上部クランプ部に対して所定の隙間を空けて連結固定する上部隙間形成部材と、を有し、
前記斜材受け金具は、前記支柱に固定される下部クランプ部と、前記斜材を支持する斜材受け部と、前記斜材受け部を前記下部クランプ部に対して所定の隙間を空けて連結固定する下部隙間形成部材と、を有し、
前記上部隙間形成部材及び前記下部隙間形成部材により形成される隙間にパネルを設置可能に構成されていることを特徴とする請求項１乃至３何れか１項記載の朝顔ユニット。
【発明の詳細な説明】
【技術分野】
【０００１】
本発明は、建設現場の仮設足場に設置される朝顔ユニットに関する。
【背景技術】
【０００２】
建築現場の仮設足場には、作業時等に誤って落下してしまった資材や工具等が下に居る人に当たったりするのを防ぐために、落下物を受け止めるための防護柵である朝顔ユニットが設置されている。例えば、下記特許文献１，２に朝顔ユニットが開示されている。
【０００３】
従来の朝顔ユニットは、落下物を受け止めるシートや板材を保持するフレームが、足場から所定の傾斜角度で斜め上方に突出するように設置される。
【先行技術文献】
【特許文献】
【０００４】
【特許文献１】特開２０１５−２０３１８４号公報
【特許文献２】特許第５９９９５３９号公報
【発明の概要】
【発明が解決しようとする課題】
【０００５】
しかし、従来の朝顔ユニットでは、フレームの設置角度が固定であるため、仮設足場が設置される場所に電柱や電線、樹木等の障害物が存在している場合、障害物を避けて朝顔ユニットを設置しようとしても、設置角度が固定であるために障害物を回避することができず、最悪の場合、その場所だけ朝顔ユニットを設置できないといった問題があった。
【０００６】
本発明は、このような課題に鑑みてなされたものであり、設置場所に障害物がある場合でも、障害物を適宜避けて設置することの可能な朝顔ユニットを提供することを目的とする。
【課題を解決するための手段】
【０００７】
上記課題を解決するための本発明に係る朝顔ユニットは、建設現場の足場に対して斜め上方に突出するように設置されて落下物を受け止めるための朝顔ユニットにおいて、落下物を受け止めるためのシートと、前記シートの外縁を支持するフレームであって、その下枠が前記足場に対して前記足場の側面に平行な水平軸回りに回動可能に連結されるフレームと、前記フレームを支持する伸縮可能な棒状の斜材であって、一端が前記フレームと前記足場との連結場所の下方において前記足場に対して回動可能に連結されると共に、他端が前記フレームの竪枠に回動可能に連結される斜材と、を備え、前記斜材が伸縮しながら前記フレームが前記足場に対して回動することで、前記フレームの水平面に対する傾斜角度である設置角度が可変であり、前記斜材は、前記フレームが前記足場の側面に平行に収納された前記設置角度が90°の収納角度となるまで伸長可能に構成されていることを特徴とする。
【発明の効果】
【０００８】
本発明に係る朝顔ユニットによれば、設置場所に障害物がある場合でも、障害物を適宜避けて朝顔ユニットを設置することができる。
【図面の簡単な説明】
【０００９】
【図１】図１は、本発明の実施形態に係る朝顔ユニットの設置状態の斜視図である。
【図２】図２は、本発明の実施形態に係る朝顔ユニットの分解図である。
【図３】図３は、本発明の実施形態に係る斜材の部分拡大斜視図である。
【図４】図４は、本発明の実施形態に係るフラップの設置状態を示す斜視図である。
【図５】図５は、本発明の実施形態に係る朝顔ユニットの設置角度を説明するための側面図である。
【図６】図６は、本発明の実施形態に係るフレーム受け金具の斜視図である。
【図７】図７は、本発明の実施形態に係るフレーム受け金具の下枠との連結部分の拡大斜視図である。
【図８】図８は、本発明の実施形態に係る斜材受け金具の斜視図である。
【図９】図９は、本発明の実施形態に係る斜材受け金具と斜材との連結部分の拡大斜視図である。
【図１０】図１０は、本発明の実施形態に係る足場に防音パネルを設置した状態の斜視図である。
【発明を実施するための形態】
【００１０】
以下、図面を参照しながら本発明の実施の形態に係る朝顔ユニットについて説明する。図１は、本発明の実施形態に係る朝顔ユニットの設置状態の斜視図である。図２は、本発明の実施形態に係る朝顔ユニットの分解図である。図３は、本発明の実施形態に係る斜材の部分拡大斜視図である。
【００１１】
図４は、本発明の実施形態に係るフラップの設置状態を示す斜視図である。図５は、本発明の実施形態に係る朝顔ユニットの設置角度を説明するための側面図である。図６は、本発明の実施形態に係るフレーム受け金具の斜視図である。図７は、本発明の実施形態に係るフレーム受け金具の下枠との連結部分の拡大斜視図である。
【００１２】
図８は、本発明の実施形態に係る斜材受け金具の斜視図である。図９は、本発明の実施形態に係る斜材受け金具と斜材との連結部分の拡大斜視図である。図１０は、本発明の実施形態に係る足場に防音パネルを設置した状態の斜視図である。
【００１３】
朝顔ユニット５は、仮設足場１に対して水平面から所定の傾斜角度（設置角度）で斜め上方に突出するように設置されて落下物を受け止める朝顔用シート８と、朝顔用シート８を囲んで保持するフレーム１０と、フラップ２０と、棒状の斜材３０と、吊りロープ４０と、フレーム受け金具５０と、斜材受け金具６０とを備えている。
【００１４】
朝顔用シート８は、長方形の樹脂製の軟らかい二重シートであり、朝顔ユニット５の軽量化を実現しながら、落下物を確実に受け止めることができると共に、折り畳み自在であるため可搬性に優れる。
【００１５】
フレーム１０は、組み立てた状態で朝顔用シート８と同形状の長方形の枠であり、上枠１１と、下枠１２と、右竪枠１５と、左竪枠１７とを備えている。上枠１１及び下枠１２は、右竪枠１５と左竪枠１７に対して着脱自在であり、ボルトで固定される。
【００１６】
朝顔用シート８は、右側縁部が右竪枠１５に固定され、左側縁部が左竪枠１７に固定されており、フレーム１０を組み立てた状態では、朝顔用シート８は、右竪枠１５と左竪枠１７との間にぴんと張って張架され、長方形枠であるフレーム１０の内側を塞いでいる。
【００１７】
一方、フレーム１０を分解した状態で、右竪枠１５と左竪枠１７とを平行のまま近付けると、朝顔用シート８を簡単に折り畳むことができ、設置場所である足場１の高所に、朝顔用シート８等を容易に持ち運ぶことができる。
【００１８】
フレーム１０は、下枠１２の部分が、後述するフレーム受け金具５０により足場１の支柱２に対して、足場１の側面に平行な水平軸回りに回動可能に連結される。下枠１２の下端面の左右端部には、フレーム受け金具５０に連結するための受け金具連結部１３として、垂直に立設された板状部材が設置されている。受け金具連結部１３には、連結穴１３ａが形成されている。
【００１９】
右竪枠１５及び左竪枠１７は、その側面に斜材連結部１６，１８を備えており、斜材連結部１６，１８には、足場１の側面に平行な水平軸回りに回動可能に斜材３０が連結される。斜材連結部１６，１８は、竪枠１５，１７の側面に立設する板状部材であり、連結穴１６ａ，１８ａが形成されている。フレーム１０は、斜材連結部１６，１８に連結される斜材３０によって、所定の設置角度で足場１に設置されるように支持される。
【００２０】
フラップ２０は、フレーム１０と足場１との隙間を落下物が通過して下方に落ちないように、この隙間を塞ぐための金属製板であり、下枠１２に対して回動自在に連結されている。
【００２１】
斜材３０は、伸縮可能な角パイプであり、外筒パイプ３１と、内筒パイプ３５と、外筒パイプ３１と内筒パイプ３５との伸縮を固定するための伸縮固定ピン３８とを備える。内筒パイプ３５は外筒パイプ３１内に挿入されており、外筒パイプ３１と内筒パイプ３５とが相対的にスライドすることで、斜材３０の長さが可変である。
【００２２】
足場１に設置する際には、下側に位置する外筒パイプ３１が足場１側に連結され、上側に位置する内筒パイプ３５がフレーム１０側に連結される。外筒パイプ３１の下端には、斜材受け金具６０に回動可能に連結される受け金具連結部３２としての板状部材が設置されている。受け金具連結部３２には、連結穴３２ａ（不図示）が形成されている。
【００２３】
内筒パイプ３５の上端には、フレーム１０の斜材連結部１６，１８に回動可能に連結するためのグラビティピン（折れピン）３６が設置されている。グラビティピン３６は、内筒パイプ３５の先端に固定された本体ピンと、本体ピンに対して回動自在に連結された回動先端ピンとを備えている。グラビティピン３６は、内筒パイプ３５に対してその延在方向に直交する方向に突出するように設置されている。
【００２４】
回動先端ピンを本体ピンに対して同軸上に位置させた状態でグラビティピン３６を斜材連結部１６，１８の連結穴１６ａ，１８ａに挿入すると、回動先端ピンのみが自重により下向きに垂れるので、斜材３０の上端が斜材連結部１６，１８から抜けないように連結される。このとき、斜材３０の先端は、フレーム１０に対して、グラビティピン３６の本体ピンを回転軸（足場１の側面に平行な水平軸）として、回動可能に連結される。
【００２５】
伸縮固定ピン３８は、外筒パイプ３１と内筒パイプ３５とをスライド方向にロックして、斜材３０の長さを固定するためのピンであり、コイルバネによりピンをロック方向（ピン用穴３３に嵌まる方向）に付勢している。朝顔ユニット５を設置した状態で、斜材３０の長さを固定することで、朝顔用シート８及びフレーム１０の水平面に対する傾斜角度である設置角度を固定することができる。
【００２６】
外筒パイプ３１には、伸縮固定ピン３８を挿し込むためのピン用穴３３が六箇所に形成されており（図３参照）、内筒パイプ３５には、伸縮固定ピン３８を挿し込むためのピン用穴３７（図示せず）が一箇所に形成されている。
【００２７】
外筒パイプ３１と内筒パイプ３５を相対的にスライドさせて、第一乃至第六ピン用穴３３の何れか一つのピン用穴３３とピン用穴３７とをスライド方向において対向するように位置させた状態で、伸縮固定ピン３８を外筒パイプ３１の所定の場所に設置してそのピンをピン用穴３３及びピン用穴３７に通すことで、斜材３０をスライドできないように固定することができる。
【００２８】
外筒パイプ３１に形成された第一ピン用穴３３−１は、斜材３０が最長となるロック位置であり、外筒パイプ３１の最も内筒パイプ３５寄り側（上端側）に形成されている。第二ピン用穴３３−２、第三ピン用穴３３−３、…、第六ピン用穴３３−６は、第一ピン用穴３３−１の位置から徐々に下側（内筒パイプ３５から離れる側）に移動した位置に形成されている。
【００２９】
伸縮固定ピン３８によるロック位置が、第二ピン用穴３３−２、…、第六ピン用穴３３−６と移動するに連れて、徐々に斜材３０の固定長さが短くなる。朝顔ユニット５が足場１に設置された状態において、斜材３０の長さを変化させることで、フレーム１０の設置角度を変化させることができる（図５参照）。
【００３０】
図５（ａ）は、設置角度が90°の収納角度となる収納状態を示し、図５（ｂ）は、設置角度が54.5°の退避角度となる退避状態を示し、図５（ｃ）は、設置角度が45°の退避角度となる退避状態を示している。図５（ｄ）は、設置角度が35.5°の退避角度となる退避状態を示し、図５（ｅ）は、設置角度が26°の標準設置角度となる標準設置状態を示している。
【００３１】
朝顔ユニット５の設置現場において、斜材３０が伸縮固定ピン３８により第一ピン用穴３３−１においてロックされた場合には、フレーム１０の設置角度は、垂直に起立した90°となる。また、同じく斜材３０の伸縮固定ピン３８により第二ピン用穴３３−２においてロックされた場合にもフレーム１０の設置角度は90°となる。
【００３２】
このように、異なる長さの斜材３０で設置角度が同じ90°となるのは、足場１のタイプとして、枠組足場とくさび緊結式足場とで一段あたり高さ（踏み板３の高さ方向の間隔）が異なるためである。第一ピン用穴３３−１は、くさび緊結式足場（1.8m）用の穴であり、第二ピン用穴３３−２は、枠組足場（1.7m）用の穴である。
【００３３】
なお、本実施形態では、フレーム受け金具５０と斜材受け金具６０の設置間隔が、足場１の一段あたりの高さ（踏み板３の間隔）と略同じであると共に、第一ピン用穴３３−１において固定する場合を除いて、足場１が枠組足場（一段あたりの高さが1.7m）であることを前提に斜材３０の長さとフレーム１０の設置角度の関係を説明している。よって、足場１がくさび緊結式足場の場合等、フレーム受け金具５０と斜材受け金具６０との設置間隔が略1.7mと異なる場合には、斜材３０の長さとフレーム１０の設置角度の関係も異なってくる。
【００３４】
朝顔ユニット５の設置現場において、斜材３０が第三ピン用穴３３−３でロックされた場合には、フレーム１０の設置角度54.5°となり、斜材３０が第四ピン用穴３３−４でロックされた場合には、フレーム１０の設置角度は45°となる。同じく、斜材３０が第五ピン用穴３３−５でロックされた場合には、フレーム１０の設置角度は35.5°となり、斜材３０が第六ピン用穴３３−６でロックされた場合には、フレーム１０の設置角度は26°となる。
【００３５】
一般に、足場１に設置される朝顔ユニット５の足場からの突出長さは2m以上必要とされており、水平面からのフレーム１０の傾斜角度である設置角度が大きくなると、突出長さが短くなってしまう。このため、朝顔ユニット５の標準設置角度は通常20〜30°程度に設定されている。
【００３６】
本実施形態では、第六ピン用穴３３−６でロックする設置角度26°を朝顔ユニット５の標準設置角度としており、現場に電柱や樹木等の障害物があるために、標準の設置態様ではフレーム１０等が障害物に干渉して朝顔ユニット５を設置できない場合に、障害物に干渉するフレーム１０のみを、調整用の退避角度35.5°、45°、54.5°に適宜調整することで、障害物を避けることができる。
【００３７】
また、第一ピン用穴３３−１及び第二ピン用穴３３−２でロックする設置角度90°は、作業ができないような強風時に、朝顔用シート８が強風にあおられて朝顔ユニット５や足場１が壊れたりしないように、フレーム１０を収納する際に使用する設定である。収納角度である設置角度90°の収納状態では、朝顔用シート８は足場１の側面に密着した状態となるため、ロープ等で縛り付けておくことで、強風による朝顔ユニット５や足場１の崩壊を防ぐことができる。
【００３８】
吊りロープ４０は、フレーム１０の上枠１１を吊り上げるためのロープであり、一端が竪枠１５，１７の上部に固定されている。朝顔ユニット５の設置時には、他端が足場１側に結び付けられ、フレーム１０の上部を吊り上げる。上述した伸縮固定ピン３８による斜材３０の長さの固定に加えて、吊りロープ４０を使用することで、フレーム１０の設置角度をより安定して維持することができる。
【００３９】
フレーム受け金具５０は、足場１の支柱２に固定されるクランプであり、フレーム１０の下部である下枠１２を回動可能に支持する。これにより、フレーム１０は、足場１の側面に平行な水平軸を回動軸として、足場１に対して回動可能に連結される。
【００４０】
図６に示すように、フレーム受け金具５０は、支柱２に締め付け固定される上部クランプ部５１と、フレーム１０を支持するフレーム受け部５２と、フレーム受け部５２をクランプ部５１に対して所定の隙間を空けて連結固定する上部隙間形成部材５５とを備えている。
【００４１】
フレーム受け部５２は、フレーム受け部５２とフレーム１０（フレーム受け金具連結部１３）とを回動可能に連結するための連結ピンであるグラビティピン（折れピン）５３を備え、グラビティピン５３が通される連結穴５２ａが形成されている。
【００４２】
フレーム受け金具５０は、横方向に隣接して隙間無く設置される二つの朝顔ユニット５の境界部分に設置され、両側の二つのフレーム１０を支持する。このため、フレーム受け部５２には、一方側のフレーム１０を連結するための連結穴５２ａと、他方側のフレーム１０を連結するための連結穴５２ａとがそれぞれ二つずつ設置されている。
【００４３】
図７に示すように、フレーム１０の受け金具連結部１３（連結穴１３ａ）がフレーム受け部５２の二つの連結穴５２ａの間に位置した状態で、グラビティピン５３を三つの穴に通すことで、フレーム１０とフレーム受け金具５０とが連結される。フレーム１０は、このグラビティピン５３を回動軸（足場１の側面に平行な水平軸）として、足場１に対して回動可能である。なお、図７では、一方側のフレーム１０のみの連結状態を示している。
【００４４】
隙間形成部材５５は、垂直に立った状態でクランプ部５１から外側に向けて水平に延在する板状部材であり、フレーム受け部５２の左右方向の中心につながっている。隙間形成部材５５を設置することで、足場１の側面とフレーム１０との間に隙間ができ、後述するように、この隙間に防音パネル４を設置することができる。
【００４５】
斜材受け金具６０は、フレーム受け金具５０の下方において、足場１の支柱２に固定されるクランプであり、斜材３０の下端を回動可能に支持する。これにより、斜材３０は、足場１の側面に平行な水平軸を回動軸として、足場１に対して回動自在に連結される。
【００４６】
図８に示すように、斜材受け金具６０は、支柱２に固定される下部クランプ部６１と、斜材３０の下端を支持する斜材受け部６２と、斜材受け部６２をクランプ部６１に対し所定の隙間を空けて連結固定する下部隙間形成部材６５とを備えている。
【００４７】
斜材受け部６２は、斜材受け部６２と斜材３０の受け金具連結部３２とを回動可能に連結するためのグラビティピン（折れピン）６３を備えている。グラビティピン６３は、コの字形状の斜材受け部６２の両側先端付近から外側に突出するように、左右それぞれに溶接固定されている。
【００４８】
グラビティピン６３の先端ピンを水平に起こした状態で斜材３０の連結穴３２ａに挿入すると、先端ピンが自重により下向きに垂れ、斜材３０は、斜材受け金具６０から抜けないように、回動可能に連結される。
【００４９】
隙間形成部材６５は、垂直に立った状態でクランプ部６１から外側に向けて水平に延在する板状部材であり、斜材受け部６２の左右方向の中心につながっている。隙間形成部材６５を設置することで、足場１の表側側面と斜材３０との間に隙間ができる。後述するように、この隙間に防音パネル４を設置することができる。
【００５０】
以上、本実施形態に係る朝顔ユニット５の構成について説明したが、続いて、朝顔ユニット５を建設現場の足場１に設置する際の設置手順について説明する。朝顔ユニット５は、分解されて小さく梱包された状態で足場１の高所設置場所まで運ばれ、そこで組み立てられながら設置される。
【００５１】
図２に示すように、朝顔ユニット５を分解した状態では、上枠１１と、フラップ２０付きの下枠１２と、一体になった朝顔用シート８、右竪枠１５及び左竪枠１７と、二本の斜材３０と、二本の吊りロープ４０と、二個のフレーム受け金具５０と、二個の斜材受け金具６０とに分けられる。
【００５２】
高所設置場所では、まず、フレーム受け金具５０と斜材受け金具６０とを足場１の支柱２の所定の場所に締め付けて固定する。フレーム受け金具５０と斜材受け金具６０の設置間隔は、足場１の一段あたりの高さと略同じであり、通常、下側の斜材受け金具６０は、踏み板３の上側近傍において支柱２に固定され、上側のフレーム受け金具５０は、一段上の踏み板３の上側近傍において支柱２に固定される。
【００５３】
続いて、下枠１２をフレーム受け金具５０に対して連結設置する。具体的には、図７に示すように、下枠１２の左右両側に設置されている受け金具連結部１３を、フレーム受け金具５０のフレーム受け部５２の二つの連結穴５２ａに挟まれた領域に位置させた状態で、グラビティピン５３を連結穴５２ａ、連結穴１３ａ、連結穴５２ａの三つの穴に通す。これにより、下枠１２が足場１の側面に平行な水平軸回りに回動可能に足場１に対して連結される。
【００５４】
続いて、朝顔用シート８を下枠１２に対して取り付ける。具体的には、朝顔用シート８を挟持する右竪枠１５と左竪枠１７の下端を下枠１２に対してボルトにより固定する。引き続き、上枠１１を右竪枠１５及び左竪枠１７の上端に同じくボルトにより固定する。これにより、フレーム１０の組立が完成する。
【００５５】
次に、斜材３０を設置する。具体的には、斜材３０の上端に位置するグラビティピン３６をフレーム１０の竪枠１５，１７に設置されている斜材連結部１６，１８の連結穴１６ａ，１８ａに通すことで、斜材３０の上端をフレームの竪枠１５，１７に対して回動可能に連結する。
【００５６】
そして、斜材３０の下端の受け金具連結部３２の連結穴３２ａに斜材受け金具６０の斜材受け部６２のグラビティピン６３を通すことで、斜材３０の下端を足場１の側面に平行な水平軸回りに回動可能に足場１に対して連結する（図９参照）。
【００５７】
なお、この斜材３０の設置作業時には、フレーム１０は設置角度が略90°の状態に収納しておくと共に、斜材３０を第一ピン用穴３３−１又は第二ピン用穴３３−２によりロックした状態、すなわち、足場１の一段あたりの高さと略同じ長さに固定した状態で行う。
【００５８】
続いて、伸縮固定ピン３８を外したうえで、吊りロープ４０の一端を持ちながら、90°の傾斜角度になっているフレーム１０を所望の設置角度まで吊り下げて倒す。設置角度を標準設置角度の26°とする場合には、略26°の設置角度となるまでフレーム１０の傾斜角度を90°から徐々に小さくしていく。
【００５９】
フレーム１０の傾斜角度が略26°となると、吊りロープ４０の一端を足場１に対して結び付けると共に、伸縮固定ピン３８を相対している第六ピン用穴３３−６とピン用穴３７とに挿入して斜材３０の長さをロックすることで、フレーム１０は、標準設置角度26°で固定設置される。
【００６０】
その後、図４に示すように、フラップ２０を適宜足場１側に倒し、隙間を塞ぐことで、朝顔ユニット５の設置作業が完了する。なお、防音のために足場１の側面に防音パネル４を設置する場合であっても、図１０に示すように、フレーム受け金具５０の隙間形成部材５５と、斜材受け金具６０の隙間形成部材６５の部分に防音パネル４を設置することで、朝顔ユニット５に干渉することなく、防音パネル４を設置することができる。
【００６１】
以上、本実施形態について詳細に説明したが、本実施形態では、フレーム１０を所定の傾斜角度に支えるための斜材３０の長さを六段階に調整可能であり、フレーム１０の設置角度を五段階で調整することができる。
【００６２】
よって、標準設置角度（26°）では足場１から大きく外側に突出するフレーム１０が、電柱や樹木等の障害物に衝突してしまう場合であっても、設置角度を退避角度である35.5°、45°、54.5°に調節することで、現場の障害物を回避して朝顔ユニット５を設置することができる。
【００６３】
また、本実施形態では、斜材３０を、90°固定用の一番目と二番目に長い状態にロック（第一ピン用穴３３−１及び第二ピン用穴３３−２）すると、斜材３０の設置角度は収納角度である90°となり、斜材３０は、足場１の側面に平行な垂直状態に収納される。よって、強風時にフレーム１０を起こしてロープで足場に括り付けて固定する場合にも、斜材３０の長さをロックすることで、強風でも朝顔用シート８があおられることなく、安全にフレーム１０を収納しておくことができる。
【００６４】
また、従来の足場であれば、足場用シート及びフレームを起こして収納する際には、斜材の長さ調整ができないため、斜材を足場から外すなどしてフレームを収納する必要があり、非常に手間がかかった。
【００６５】
これに対して、本実施形態では、斜材３０は、フレーム１０が設置角度90°の収納状態となるように起きた状態まで伸長可能に構成されており、斜材３０と足場１との連結を外す必要なく、伸縮固定ピン３８のロック位置を変更して斜材の長さを調整するだけで、フレーム１０を収納することができ、強風対策作業を効率的に行うことができる。
【００６６】
特に、本実施形態では、設置角度が収納角度90°となる収納状態に対応するピン用穴３３が二箇所（第一ピン用穴３３−１、第二ピン用穴３３−２）用意されており、一種類の朝顔ユニット５で、一段あたりの高さの異なる二つのタイプの足場（枠組足場、くさび緊結式足場）に対応させることができる。
【００６７】
また、本実施形態では、朝顔ユニット５を足場１の支柱２に連結するためのフレーム受け金具５０及び斜材受け金具６０は、支柱２に締め付け固定されるクランプ部５１，６１と、フレーム受け部５２及び斜材受け部６２との間に、所定の長さの隙間を形成する隙間形成部材５５，６５を備えている。
【００６８】
このため、工事の騒音が外に漏れないように、足場１の側面に防音パネル４を設置する場合であっても、この隙間形成部材５５，６５により確保された隙間に防音パネル４を設置することで、フレーム１０等の朝顔ユニット５を構成する部材と干渉することなく、防音パネル４を足場１に設置することができる。
【００６９】
以上、本発明の実施形態について説明したが、本発明の実施の形態は、上記実施形態に限定されるものではなく、本発明の主旨を逸脱しない範囲内で種々の変形が可能である。例えば、朝顔ユニットを構成する部材のサイズや形状、素材等は適宜変更可能である。
【００７０】
また、上記実施形態では、朝顔ユニットの標準設置角度を26°、障害物を避けるための退避角度を35.5、45°、54.5、収納角度を90°としているが、標準設置角度及び退避角度は適宜変更可能である。また、退避角度は、少なくとも1つは設定する必要があり、望ましくは2つ以上の退避角度を設定するのが望ましい。
【００７１】
また、上記実施形態では、斜材の長さを固定する伸縮固定部材として、外筒パイプ及び内筒パイプに形成されたピン用穴に挿入する固定ピンを採用しているが、伸縮固定部材としては、ボルトとナットの組合せや、ネジ留め等、斜材の伸縮を固定できる部材であれば、適宜他の構成の部材を採用することができる。
【符号の説明】
【００７２】
１      足場
２      支柱
３      踏み板
４      防音パネル
５      朝顔ユニット
８      朝顔用シート
１０    フレーム
１１    上枠
１２    下枠
１３    受け金具連結部
１３ａ  連結穴
１５    右竪枠
１６    斜材連結部
１６ａ  連結穴
１７    左竪枠
１８    斜材連結部
１８ａ  連結穴
２０    フラップ
３０    斜材
３１    外筒パイプ
３２    受け金具連結部
３２ａ  連結穴
３３    ピン用穴
３５    内筒パイプ
３６    グラビティピン
３７    ピン用穴
３８    伸縮固定ピン
４０    吊りロープ
５０    フレーム受け金具
５１    クランプ部
５２    フレーム受け部
５２ａ  連結穴
５３    グラビティピン
５５    隙間形成部材
６０    斜材受け金具
６１    クランプ部
６２    斜材受け部
６３    グラビティピン
６５    隙間形成部材
【図１】
2018071298.tif 000003
【図２】
2018071298.tif 000004
【図３】
2018071298.tif 000005
【図４】
2018071298.tif 000006
【図５】
2018071298.tif 000007
【図６】
2018071298.tif 000008
【図７】
2018071298.tif 000009
【図８】
2018071298.tif 000010
【図９】
2018071298.tif 000011
【図１０】
2018071298.tif 000012